(57)【要約】【課題】遊技機本体を必要に応じて安全に自立させることが可能な遊技機を提供する。【解決手段】正面視略矩形状の外枠と、外枠の前側に開閉可能に装着された前枠とを備えた遊技機で、外枠の下部側に、例えば前側に張り出す起立支持位置と外枠側の収納位置とに変化可能な起立支持手段１０を設ける。その起立支持手段１０は、外枠の下端部前側に沿って装着される前カバー部材９に設けてもよい。また、起立支持手段１０を収納位置で保持するプッシュラッチ等よりなる収納保持手段５６を設け、収納位置に保持されている起立支持手段１０が外枠側に押し込まれることにより、収納保持手段５６による保持状態が解除されて起立支持手段１０が起立支持位置側に押し出されるように構成してもよい。【選択図】図７
2018064847.tif 000002
【特許請求の範囲】
【請求項１】
正面視略矩形状の外枠と、
前記外枠の前側に開閉可能に装着された前枠とを備えた
遊技機において、
前記外枠の下部側に、前後の少なくとも一方に張り出す起立支持位置と前記外枠側の収納位置とに変化可能な起立支持手段を備えた
ことを特徴とする遊技機。
【請求項２】
前記外枠の下端部前側に沿って装着される前カバー部材を備え、
前記前カバー部材に前記起立支持手段を設けた
ことを特徴とする請求項１に記載の遊技機。
【請求項３】
前記起立支持手段を前記収納位置で保持する収納保持手段を備えた
ことを特徴とする請求項１又は２に記載の遊技機。
【請求項４】
前記収納保持手段をプッシュラッチにより構成し、
前記収納位置に保持されている前記起立支持手段が前記外枠側に押し込まれることにより、前記収納保持手段による保持状態が解除されて前記起立支持手段が前記起立支持位置側に押し出される
ことを特徴とする請求項３に記載の遊技機。
【請求項５】
前記起立支持手段を、略前後方向の前記起立支持位置と略左右方向の前記収納位置との間で上下方向の軸廻りに回転可能に構成した
ことを特徴とする請求項１〜４の何れかに記載の遊技機。
【請求項６】
前記起立支持手段の前記収納位置から前記起立支持位置への移行を阻止する阻止状態と許容する許容状態とに切り換え可能な切換手段を設けた
ことを特徴とする請求項１〜５の何れかに記載の遊技機。
【請求項７】
前記切換手段の操作部を、遊技島に装着した状態では操作不可能な位置に設けた
ことを特徴とする請求項６に記載の遊技機。
【請求項８】
前記切換手段の操作部を、遊技島に装着した状態では施錠手段を解除して所定の扉体を開放しなければ操作不可能な位置に設けた
ことを特徴とする請求項６に記載の遊技機。
【発明の詳細な説明】
【技術分野】
【０００１】
本発明は、パチンコ機、アレンジボール機等の遊技機に関するものである。
【背景技術】
【０００２】
パチンコ機等の遊技機は、正面視略矩形状の外枠と、その外枠の前側に開閉可能に装着された前枠とで遊技機本体が構成されており、遊技ホールに設置される際には、外枠が遊技島に対して釘等の固定手段により固定されるようになっている。
前枠には、例えば遊技盤、発射装置、払い出し装置、各種制御基板、各種演出手段等の主要構成物が搭載されているが、旧来の遊技機の多くは重心が外枠の前後幅内に位置していたため、例えば遊技島に固定する前の遊技機本体はそのまま自立させておくことが可能であった（特許文献１参照）。
【先行技術文献】
【特許文献】
【０００３】
【特許文献１】特開２００２−１８０６３号公報
【発明の概要】
【発明が解決しようとする課題】
【０００４】
しかしながら最近の遊技機は、前枠の前側に大型の演出手段が搭載されて遊技機本体の重心が前側に偏るなど、遊技機本体をそのまま自立させることができない場合が多い。また、なんとか遊技機本体を自立させることができる場合でも、前枠の重量化、高重心化によってその自立状態は非常に不安定で、容易に転倒してしまう虞があった。
本発明は上記事情に鑑みてなされたものであり、遊技機本体を必要に応じて安全に自立させることが可能な遊技機を提供することを目的とする。
【課題を解決するための手段】
【０００５】
本発明は、正面視略矩形状の外枠２と、前記外枠２の前側に開閉可能に装着された前枠３とを備えた遊技機において、前記外枠２の下部側に、前後の少なくとも一方に張り出す起立支持位置と前記外枠２側の収納位置とに変化可能な起立支持手段１０，１００を備えたものである。
また、前記外枠２の下端部前側に沿って装着される前カバー部材９を備え、前記前カバー部材９に前記起立支持手段１０，１００を設けてもよい。
また、前記起立支持手段１０，１００を前記収納位置で保持する収納保持手段５６を備えてもよい。この場合、前記収納保持手段５６をプッシュラッチにより構成し、前記収納位置に保持されている前記起立支持手段１０，１００が前記外枠２側に押し込まれることにより、前記収納保持手段５６による保持状態が解除されて前記起立支持手段１０，１００が前記起立支持位置側に押し出されるように構成してもよい。
また、前記起立支持手段１０，１００を、略前後方向の前記起立支持位置と略左右方向の前記収納位置との間で上下方向の軸５５，１０２廻りに回転可能に構成してもよい。
また、前記起立支持手段１０，１００の前記収納位置から前記起立支持位置への移行を阻止する阻止状態と許容する許容状態とに切り換え可能な切換手段９１を設けてもよい。この場合、前記切換手段９１の操作部９３を、遊技島に装着した状態では操作不可能な位置に設けてもよいし、遊技島に装着した状態では施錠手段５を解除して所定の扉体３，７を開放しなければ操作不可能な位置に設けてもよい。
【発明の効果】
【０００６】
本発明によれば、遊技機本体を必要に応じて安全に自立させることが可能である。
【図面の簡単な説明】
【０００７】
【図１】本発明の第１の実施形態に係るパチンコ機の全体正面図である。
【図２】同パチンコ機の全体平面図である。
【図３】同パチンコ機の側面部分断面図である。
【図４】同パチンコ機の分解斜視図である。
【図５】同パチンコ機の要部平面断面図である。
【図６】同パチンコ機の要部側面断面図である。
【図７】同パチンコ機の要部斜視図である。
【図８】同パチンコ機の要部分解斜視図である。
【図９】同パチンコ機の収納保持手段の動作説明図である。
【図１０】本発明の第２の実施形態に係るパチンコ機の要部側面断面図（ａ）及び要部平面断面図（ｂ）である。
【図１１】本発明の第３の実施形態に係るパチンコ機の要部平面断面図である。
【図１２】同パチンコ機の要部側面断面図である。
【発明を実施するための最良の形態】
【０００８】
以下、本発明の実施形態を図面に基づいて詳述する。図１〜図９は本発明をパチンコ機に採用した第１の実施形態を例示している。図１〜図４において、遊技機本体１は、外枠２と、この外枠２の前側に配置された前枠３とを備えている。前枠３は、左右方向一端側、例えば左端側に配置された第１ヒンジ４を介して外枠２に上下方向の軸心廻りに開閉自在及び着脱自在に枢着されており、左右方向における第１ヒンジ４と反対側、例えば右端側に設けられた施錠手段５によって外枠２に対して閉状態で施錠可能となっている。
【０００９】
前枠３は、本体枠６と、その本体枠６の前側に配置されたガラス扉７とを備えている。ガラス扉７は、左右方向一端側、例えば左端側に配置された第２ヒンジ８を介して本体枠６に上下方向の軸心廻りに開閉自在及び着脱自在に枢着されており、施錠手段５によって本体枠６に対して閉状態で施錠可能となっている。なお、第１ヒンジ４と第２ヒンジ８とは例えば同一軸心となるように構成されている。
【００１０】
外枠２は、左右一対の縦枠材２ａ，２ｂと上下一対の横枠材２ｃ，２ｄとで矩形枠状に形成されている。外枠２の前側下部には、例えば合成樹脂製の前カバー部材９が、下横枠材２ｄの前縁に沿って左右の縦枠材２ａ，２ｂの前側下部を連結するように装着されている。前カバー部材９は、左右の縦枠材２ａ，２ｂよりも前側に突出しており、その上側に本体枠６が配置されている。前カバー部材９には、遊技機本体１を起立状態で支持する起立支持手段１０が設けられている。前カバー部材９及び起立支持手段１０の詳細については後述する。
【００１１】
外枠２には、第１ヒンジ４を構成する外枠上ヒンジ金具１１が例えば左上部に、同じく外枠下ヒンジ金具１２が左下部における前カバー部材９の上側に夫々配置されている。
【００１２】
本体枠６は合成樹脂製で、図４等に示すように、前カバー部材９の上側で外枠２の前縁側に当接可能な矩形状の枠部１３と、この枠部１３内の上部側に設けられた遊技盤装着部１４と、枠部１３内の下部側に設けられた下部装着部１５とを例えば一体に備えている。遊技盤装着部１４には、遊技盤１６が例えば前側から着脱自在に装着されている。
【００１３】
遊技盤１６の前面側には、発射手段１７から発射された遊技球を案内するガイドレール１８が環状に装着され、そのガイドレール１８の内側の遊技領域１９内に、図柄表示手段、図柄始動手段、可変入賞手段、普通入賞手段等（何れも図示省略）のユニット部品の他、多数の遊技釘等が配置されている。また、遊技盤１６の背面側には、主制御基板、演出制御基板、液晶制御基板等（何れも図示省略）が夫々基板ケース１６ａ等に格納された状態で着脱自在に装着されている。
【００１４】
遊技盤装着部１４の背面側には、左右方向の一端側、例えば第１，第２ヒンジ４，８等と同じ左端側に、遊技球の払い出しを行う払い出し手段２０が配置されている。また、下部装着部１５には、その前側に発射手段１７、下部スピーカ２１等が配置され、また背面側には、払出制御基板、発射制御基板、電源基板等（何れも図示省略）が夫々基板ケース１６ｂ等に格納された状態で着脱自在に装着されている。
【００１５】
また本体枠６には、第１ヒンジ４を構成する本体枠上ヒンジ金具２２と第２ヒンジ８を構成する本体枠上ヒンジ金具２３とが例えば左上部に、第１，第２ヒンジ４，８を構成する本体枠下ヒンジ金具２４が例えば左下部に夫々配置されている。
【００１６】
ガラス扉７は、本体枠６の前面側に対応する矩形状に形成された樹脂製の扉ベース２６を備えている。この扉ベース２６には、遊技領域１９の前側に対応するガラス窓２５用の窓孔２５ａが形成されると共に、例えば窓孔２５ａの周囲に対応して複数の上部スピーカ２７、送風演出装置２８等の演出手段が配置され、それら上部スピーカ２７等を前側から略覆う上装飾カバー２９が装着されている。
【００１７】
また、扉ベース２６の下部前側には、払い出し手段２０から払い出された遊技球を貯留して発射手段１７に供給する上皿３０、その上皿３０が満杯のときの余剰球等を貯留する下皿３１、発射手段１７を作動させるために操作する発射ハンドル３２等が配置され、更に上皿３０、下皿３１等を前側から略覆うように下装飾カバー３３が装着されている。下装飾カバー３３は、例えば前向きの膨出状に形成されており、例えばその上部側に、遊技者が操作可能な演出用操作ボタン３４等の各種操作部が設けられている。
【００１８】
扉ベース２６の背面側には、窓孔２５ａを後側から略塞ぐガラスユニット３５が着脱自在に装着されると共に、第１，第２ヒンジ４，８側の縁部に沿って配置される上下方向のヒンジ端側補強板金３６と、開閉端側の縁部に沿って配置される上下方向の開閉端側補強板金３７と、窓孔２５ａの下側に配置される左右方向の下部補強板金３８とがねじ止め等により着脱自在に固定されている。また扉ベース２６には、第２ヒンジ８を構成するガラス扉上ヒンジ金具３９が例えば左上部に、同じくガラス扉下ヒンジ金具４０が例えば左下部に夫々配置されている。
【００１９】
また、例えば下部補強板金３８の背面側には、球送りユニット４１、下皿案内ユニット４２等が装着されている。球送りユニット４１は、上皿３０内の遊技球を１個ずつ発射手段１７に供給するためのもので、発射手段１７の前側に対応して配置されている。下皿案内ユニット４２は、上皿３０が満杯となったときの余剰球、及び発射手段１７により発射されたにも拘わらず遊技領域１９に達することなく戻ってきたファール球を下皿３１に案内するためのもので、例えば球送りユニット４１に隣接してその第１，第２ヒンジ４，８側に配置されている。
【００２０】
続いて、前カバー部材９及び起立支持手段１０の詳細について図５〜図９等を参照しつつ説明する。前カバー部材９は、後側が開放する前ケース５１と前側が開放する裏ケース５２とを前後に嵌め合わせることにより下横枠材２ｄの前縁側に沿う横長箱形となるように形成されており、その下面側に形成された左右一対の凹部５３，５３内に夫々起立支持手段１０，１０が配置されている。
【００２１】
裏ケース５２は、下横枠材２ｄの前縁に当接する前縁当接部５２ａと、その前縁当接部５２ａの上側に設けられ且つ下横枠材２ｄの上面に沿って後向き膨出状に形成される上面当接部５２ｂとを一体に備え、左右の縦枠材２ａ，２ｂ間に前側から嵌め込まれ、例えば下横枠材２ｄの上面に沿って後向きに突設された固定部５４においてねじ止め等により下横枠材２ｄに着脱自在に固定されている。
【００２２】
前ケース５１は、裏ケース５２に前側から嵌め合わされる中央カバー部５１ａと、その中央カバー部５１ａの左右両端側に設けられ且つ左右の縦枠材２ａ，２ｂの下端部を前側から略覆う端部カバー部５１ｂとを一体に備え、例えば裏ケース５２に対してねじ止め等により着脱自在に固定されている。
【００２３】
凹部５３は、下横枠材２ｄの前側に例えば前ケース５１と裏ケース５２とに跨がって設けられ、上向き凹入深さが略均一で少なくとも前側が開放する正面視横長状に形成されており、その凹部５３内の左右方向一端側（ここでは左右方向外側の端部側）に、起立支持手段１０を起立支持位置と収納位置との間で揺動可能に支持する上下方向の回転軸５５が配置され、凹部５３内の左右方向他端側（ここでは左右方向内側の端部側）に、起立支持手段１０を収納位置で保持する収納保持手段５６が配置されている。
【００２４】
回転軸５５は、凹部５３の上底面５３ａから下向きに突設されている。また、回転軸５５の近傍には、回転軸５５と平行な一又は複数、例えば２本のガイド軸５７ａ，５７ｂが上底面５３ａから下向きに突設されている。ガイド軸５７ａ，５７ｂは、例えば回転軸５５を挟んでその両側に夫々所定距離をおいて配置されており、例えば回転軸５５の斜め前方に一方のガイド軸５７ａが、斜め後方に他方のガイド軸５７ｂが設けられている。
【００２５】
収納保持手段５６は、いわゆるプッシュラッチ機構を構成するもので、起立支持手段１０を収納位置で保持する保持状態（図９（ｃ））と、保持しない解除状態（図９（ａ））とに切り換え可能に構成されており、解除状態のときに起立支持手段１０が後向きに押し込まれることにより保持状態に移行し、その状態で起立支持手段１０が再度押し込まれることにより解除状態に移行するようになっている。収納保持手段５６は、凹部５３の左右方向一端側に配置された装着部５９に着脱自在に装着されている。
【００２６】
収納保持手段５６は、図９等に示すように、前側に開口部６１ａを有する箱形のケース体６１を備え、そのケース体６１内の前側に、ラッチ本体６２が、前進位置と後退位置とを含む所定範囲内を前後方向に移動可能な状態で収容されている。ケース体６１は、その前端部が左右に拡幅しており、その左右一対の拡幅部６１ｂ，６１ｂの後側の側面上に突起状の固定爪６１ｃ，６１ｃが設けられている。
【００２７】
ラッチ本体６２の前端側には、互いに対向する左右一対の係合爪６３，６３が、弾性変形可能な連結部６４，６４を介して前向きに突設されている。係合爪６３，６３は、連結部６４，６４を中心に先端側が開く開状態と先端側が閉じる閉状態との間で連結部６４，６４を中心に揺動可能であると共に、連結部６４，６４により開状態側に弾性付勢されている。そして、ラッチ本体６２が前進位置にあるときには係合爪６３，６３が開口部６１ａの外側で開状態となり（図９（ａ））、ラッチ本体６２が後退位置にあるときには係合爪６３，６３が開口部６１ａ内に引き込まれて閉状態となる（図９（ｃ））。
【００２８】
また、ラッチ本体６２の後端側には、例えば上下方向の軸６５を介してリンク部材６６の前端側が連結されている。リンク部材６６の後端側には、カム溝６７に沿って移動可能なカムフォロア６８が設けられている。カム溝６７は例えばケース体６１の内面側に設けられており、前端位置６７ａから例えば右側の往路６７ｂを経て後端位置６７ｃに達し、更に左側のクランク部６７ｄを含む復路６７ｅを経て前端位置６７ａに戻る平面視環状に形成されている。また、ラッチ本体６２はバネ６９によりケース体６１に対して前向きに弾性付勢されている。
【００２９】
以上のような収納保持手段５６は、図９（ａ）に示す解除状態のときにはラッチ本体６２がバネ６９の付勢力により前進位置に保持されている。このとき、カムフォロア６８はカム溝６７の前端位置６７ａにあり、また係合爪６３，６３は開口部６１ａの外側で開状態となっている。この状態で起立支持手段１０側のストライク７１が開口部６１ａ内に押し込まれると、図９（ａ）→（ｂ）に示すようにそのストライク７１に押されてラッチ本体６２が後向きに移動し、それに伴って係合爪６３，６３が徐々に閉状態に変化すると共に、カムフォロア６８が前端位置６７ａから後端位置６７ｃまで往路６７ｂを後向きに移動する。そして、その状態でストライク７１を押し込む力が解除されると、図９（ｂ）→（ｃ）に示すようにラッチ本体６２はバネ６９により前向きに移動し、それに伴ってカムフォロア６８は後端位置６７ｃから復路６７ｅ側を前向きに移動するが、その直後にカムフォロア６８がクランク部６７ｄの係止部７２に引っ掛かって前向きの移動が阻止される。この状態（図９（ｃ））が保持状態であり、ラッチ本体６２は後退位置にあり、係合爪６３，６３はストライク７１の頭部７１ａに係合した状態となる。
【００３０】
そして、図９（ｃ）→（ｄ）に示すようにその保持状態からストライク７１が再び押し込まれると、カムフォロア６８はクランク部６７ｄの係止部７２から離脱する。そしてその状態でストライク７１を押し込む力が解除されると、図９（ｄ）→（ａ）に示すようにカムフォロア６８は復路６７ｅを前向きに移動して前端位置６７ａに復帰し、それに伴ってラッチ本体６２が前向きに移動し、係合爪６３，６３が徐々に開状態に変化してストライク７１への係合が解除される（解除状態）。
【００３１】
装着部５９は、図５，図８等に示すように、凹部５３内の左右方向一端側における後部側に配置されており、前ケース５１側に例えば一体に設けられた装着ベース部７３と、裏ケース５２側に例えば一体に設けられた装着カバー部７４とを備えている。装着ベース部７３は、装着孔７５ａが形成されたベース板７５を備えている。収納保持手段５６は、その後端側を装着孔７５ａに圧入した状態でベース板７５に装着され、拡幅部６１ｂ，６１ｂと固定爪６１ｃ，６１ｃとでベース板７５を前後に挟み込むことによりベース板７５に着脱自在に固定される。また、装着カバー部７４は、ベース板７５の後側で少なくとも収納保持手段５６の外周側を覆うように配置されている。これにより、少なくとも遊技機本体１の前側からは収納保持手段５６の固定爪６１ｃ，６１ｃを操作することができないため、収納保持手段５６を無断で取り外すいたずら行為を未然に防止できる。
【００３２】
起立支持手段１０は、凹部５３に対応する厚さ、幅、長さの細長状に形成されており、例えば略水平な上面板７６と、その上面板７６の外周に沿って下向きに延設された外周板７７と、上面板７６の下面側で外周板７７の内側に例えば縦横に配置された多数の補強リブ７８とを一体に備えている。
【００３３】
起立支持手段１０の一端側には、回転軸５５に対応する軸挿入部７９と、ガイド軸５７ａ，５７ｂに対応するガイド孔８０ａ，８０ｂとが設けられ、また起立支持手段１０の他端側（以下、先端側という）にはストライク７１が設けられている。軸挿入部７９は、例えば上下方向の筒状に形成されており、回転軸５５が上側から回転自在に挿入されている。なお、起立支持手段１０は、回転軸５５に軸挿入部７９を挿入した状態で、下側から回転軸５５に対して鍔付きねじ８１をねじ込むことにより、前カバー部材９に対して回転自在に装着されている。
【００３４】
またガイド孔８０ａ，８０ｂは、回転軸５５に対する円弧状に形成された平面視長孔状で、上下方向の貫通状に形成されており、ガイド軸５７ａ，５７ｂが上側から摺動自在に挿入されている。ガイド軸５７ａ，５７ｂとガイド孔８０ａ，８０ｂは、起立支持手段１０の回転範囲を、略前向きの起立支持位置（図５に実線で示す）と略横向きの収納位置（図５に二点鎖線で示す）との間に規制するもので、起立支持手段１０が起立支持位置にきたときにガイド軸５７ａ，５７ｂが夫々ガイド孔８０ａ，８０ｂの一端側に略当接し、起立支持手段１０が収納位置にきたときにガイド軸５７ａ，５７ｂが夫々ガイド孔８０ａ，８０ｂの他端側に略当接するようになっている。またガイド軸５７ａ，５７ｂには、起立支持手段１０の下側から夫々鍔付きねじ８２がねじ込まれており、鍔付きねじ８２の鍔部８２ａがガイド孔８０ａ，８０ｂの外周部に下側から略摺接している。
【００３５】
また図６等に示すように、軸挿入部７９及びガイド孔８０ａ，８０ｂの下端部は、外周板７７よりも高い位置に設けられており、遊技機本体１を床面に立てた状態、或いは遊技島に装着した状態で鍔付きねじ８１，８２が床面等に接触しないようになっている。また、遊技機本体１を床面に立てた状態でも起立支持手段１０が容易に回転するように、起立支持手段１０の下端部は、外枠２の下面よりも若干浮かせることが望ましい。
【００３６】
なお、このように起立支持手段１０の軸挿入部７９、ガイド孔８０ａ，８０ｂには上側から回転軸５５、ガイド軸５７ａ，５７ｂが挿入されており、しかもそれらの下側から鍔付きねじ８１，８２がねじ込まれているため、例えば遊技機本体１を遊技島に固定した状態では起立支持手段１０を取り外すことはできず、起立支持手段１０を無断で取り外すいたずら行為を未然に防止できる。
【００３７】
起立支持手段１０の先端側には、収納位置における後部側に収納保持手段５６に対応する切欠部８４が形成されており、その切欠部８４における収納保持手段５６に対向する面にストライク７１が一体に突設されている。
【００３８】
また上面板７６には、回転軸５５の周方向に沿う円弧状の突条部８５が、例えば略等間隔で半径方向に複数設けられている。この突条部８５は、上面板７６の上面側に僅かに突出しており、起立支持手段１０が回転する際に凹部５３の上底面５３ａに摺接するようになっている。なお、突条部８５の一端側（収納位置における後端側）には、上面板７６の上面に滑らかに繋がる傾斜面８５ａが形成されている。更に、起立支持手段１０の外周板７７のうち、収納位置にあるときの前面にあたる前外周板７７ａは、その上縁側が少なくとも突条部８５と同じ高さまで上面板７６の上側に突出している。これにより、起立支持手段１０が収納状態のときに突条部８５を前側から見えないように隠すことができる。
【００３９】
以上説明した本実施形態のパチンコ機は、重心が外枠２の前後幅よりも前側にあり、そのままでは自立しないものとする。また、通常状態では起立支持手段１０は収納位置に収納され、収納保持手段５６により保持されている（図５に二点鎖線で示す）。
【００４０】
遊技島に固定する前など、このパチンコ機を一時的に自立させておきたい場合には、手で遊技機本体１を起立状態に支えた状態で、まず左右一方側の起立支持手段１０を、例えばつま先で後向きに一度だけ蹴り込む。これにより、収納保持手段５６が保持状態から解除状態に移行し（図９（ｃ）→（ｄ）→（ａ））、バネ６９の付勢力により係合爪６３，６３が前側に移動しつつストライク７１を解放するため、起立支持手段１０はその先端側が前カバー部材９の前側に押し出された状態となる（図５に一点鎖線で示す）。その起立支持手段１０の先端側につま先を引っ掛け、起立支持手段１０を真っ直ぐ前向きとなる起立支持位置まで引き出す（図５に実線で示す）。以上の手順を他方の起立支持手段１０についても同様に行えば、それら２つの起立支持手段１０が遊技機本体１の前側への倒れを阻止して自立させることができる。
【００４１】
その後、遊技機本体１を例えば遊技島に固定する際には、手で遊技機本体１を起立状態に支えた状態で、足を使って起立支持手段１０を収納方向に回転させた後、つま先で後向きに一度だけ蹴り込む。これにより、収納保持手段５６が解除状態から保持状態に移行し（図９（ａ）→（ｂ）→（ｃ））、起立支持手段１０側のストライク７１が収納保持手段５６側の係合爪６３，６３に係合した状態となるため、起立支持手段１０は収納状態で保持される。このとき、起立支持手段１０の前外周板７７ａは前カバー部材９の前面側と略面一となって凹部５３を略覆うため、起立支持手段１０を設けているにも拘わらず外観を損なわないという利点がある。
【００４２】
図１０は本発明の第２の実施形態を例示し、第１の実施形態を一部変更して、起立支持手段１０の収納位置から起立支持位置への移行を阻止する阻止状態と許容する許容状態とに切り換え可能な切換手段９１を設けた例を示している。なお本実施形態は、切換手段９１を設けた点以外は第１の実施形態と共通である。
【００４３】
切換手段９１は、阻止部９２と操作部９３とを例えば一体に備え、図１０（ａ），（ｂ）に実線で示す阻止状態と、同じく二点鎖線で示す許容状態との間で移動可能な状態で前カバー部材９の例えば底壁９ａ上に装着されている。切換手段９１には、例えば左右方向の長孔状に形成されたガイド孔９４が形成されており、底壁９ａの上側に突設された例えば２つの突起部９５にガイド孔９４を上向きに挿通させた状態で上側から突起部９５に鍔付きねじ９６をねじ込むことにより、左右方向スライド可能に支持されている。
【００４４】
阻止部９２は、切換手段９１の例えば左端側に設けられており、切換手段９１が図１０（ａ），（ｂ）に実線で示す阻止状態のときに、凹部５３の側壁５３ｂに形成された開口部９７を介して凹部５３側に突出して、収納位置にある起立支持手段１０の例えば先端部に係合することにより起立支持手段１０の後向きの移動を阻止し、図１０（ａ），（ｂ）に二点鎖線で示す許容状態のときに、凹部５３の外側に退避して起立支持手段１０の後向きの移動を許容するようになっている。
【００４５】
起立支持手段１０は、収納位置から起立支持位置に移行するためには一旦後向きに移動して収納保持手段５６による保持状態を解除する必要がある。従って、切換手段９１が阻止状態となり、収納位置にある起立支持手段１０の後向きの移動を阻止部９２が阻止した状態では、起立支持手段１０を起立支持位置に移行させることはできない。
【００４６】
操作部９３は、切換手段９１の切換操作を行う部分であって、例えば前カバー部材９の底壁９ａに設けられた操作開口部９８を介して前カバー部材９の下側に露出している。即ち、切換手段９１を阻止状態と許容状態とに切り換えるためには、遊技機本体１の下面側から操作部９３を操作する必要があるが、そのような操作を行うことができるのは、遊技機本体１が遊技島に装着されていない状態だけであり、遊技機本体１が遊技島に固定されてしまった後は操作部９３を操作することはできない。従って、遊技機本体１を遊技島に固定する前までは、いつでも起立支持手段１０を引き出して遊技機本体１を自立させることができるように切換手段９１を許容状態にしておき、遊技機本体１を遊技島に固定する直前に切換手段９１を阻止状態に切り換えることにより、遊技者がむやみに起立支持手段１０を引き出すことを防止できる。
【００４７】
なお、以上の第２の実施形態では、遊技機本体１を遊技島に固定した状態では操作不可能な位置の一例として遊技機本体１の底面側に切換手段９１の操作部９３を配置した例を示したが、例えば施錠手段５を操作してガラス扉７或いは前枠３（所定の扉体）を開放しなければ操作不可能な位置、例えば前カバー部材９の上面側、背面側等に切換手段９１の操作部９３を設けてもよい。そのように構成した場合でも遊技者がむやみに起立支持手段１０を引き出すことを防止できる。
【００４８】
図１１，図１２は本発明の第３の実施形態を例示し、第１の実施形態を一部変更して、前側に張り出す起立支持手段１０（本実施形態では前部起立支持手段１０という）に加えて、後向きに張り出す後部起立支持手段１００を設けた例を示している。
【００４９】
後部起立支持手段１００は、左右の前部起立支持手段１０に対応してそれらの後側に夫々配置され、前部起立支持手段１０と同様の細長状に形成されており、その一端側において上下方向の回転軸１０２廻りに回転可能な状態で支持されている。なお、前カバー部材９の一部が下横枠材２ｄの上面側に沿ってその後端側まで延設されており、その延設部１０３の上面側に回転軸１０２が突設されている。
【００５０】
後部起立支持手段１００は、延設部１０３の上面に沿って略水平に形成された上面板１００ａと、下横枠材２ｄの後側において上面板１００ａから下向きに突設された支持板１００ｂとを例えば一体に備えており、支持板１００ｂの下端部が外枠２の下面と略面一となっている。なお、遊技機本体１を床面に立てた状態でも後部起立支持手段１００が容易に回転するように、支持板１００ｂの下端部は、外枠２の下面よりも若干浮かせることが望ましい。
【００５１】
また、前部起立支持手段１０と後部起立支持手段１００とは、連動機構１０１により互いに連動している。連動機構１０１は、前部起立支持手段１０側に設けられた駆動側ギヤ１０４と、後部起立支持手段１００側に設けられた従動側ギヤ１０５と、前部起立支持手段１０と後部起立支持手段１００との間に配置され且つ駆動側ギヤ１０４と従動側ギヤ１０５とに夫々噛合する中間ギヤ１０６とを備えている。駆動側ギヤ１０４は、前部起立支持手段１０の一端側に回転軸５５を中心とする所定角度範囲に設けられている。また従動側ギヤ１０５は、後部起立支持手段１００の一端側に回転軸１０２を中心とする所定角度範囲に設けられている。
【００５２】
そして、中間ギヤ１０６は回転軸５５，１０２と平行な回転軸１０７廻りに回転可能な状態で例えば延設部１０３上に装着されており、図１１に実線で示すように前部起立支持手段１０が略前向きの起立支持位置のときに後部起立支持手段１００も略後向きの起立支持位置となり、図１１に二点鎖線で示すように前部起立支持手段１０が略左右方向の収納位置のときに後部起立支持手段１００も略左右方向の収納位置となるように駆動側ギヤ１０４と従動側ギヤ１０５とに噛合して、後部起立支持手段１００側の回転動作を前部起立支持手段１０側の回転動作に連動させている。
【００５３】
以上説明した本実施形態によれば、第１の実施形態と同様の手順で前部起立支持手段１０を収納状態（図１１に二点差線で示す）から起立支持位置（図１１に実線で示す）に変化させると、それに伴って後部起立支持手段１００も収納状態から起立支持位置に変化し、前部起立支持手段１０が外枠２の前側に、後部起立支持手段１００が外枠２の後側に夫々張り出した状態となる。これにより、重心が前側（又は後側）に偏った遊技機本体１を前部起立支持手段１０により自立させることができると共に、その状態で遊技機本体１に後向きの力が作用した場合でも後部起立支持手段１００により転倒を阻止することができ、遊技機本体１をより安定的に自立させることができる。また、前部起立支持手段１０等を使用しなくても自立させることができる遊技機本体１であっても、前部起立支持手段１０及び後部起立支持手段１００を使用することでより安定的に自立させることができる。
【００５４】
以上、本発明の実施形態について詳述したが、本発明はこれらの実施形態に限定されるものではなく、本発明の趣旨を逸脱しない範囲で種々の変更が可能である。例えば、実施形態の起立支持手段１０，１００は、回転移動により起立支持位置と格納位置とに変化可能に構成したが、起立支持位置と格納位置との間の動作態様は任意である。例えば、起立支持手段１０を、外枠２の前側に突出する起立支持位置と突出しない格納位置との間で前後方向スライド可能に設けてもよい。この場合、例えば収納保持手段５６として第１の実施形態と同様のプッシュラッチ機構を用いることにより、第１の実施形態と同様のつま先による操作で容易に起立支持位置と格納位置とに切り換え可能である。
【００５５】
起立支持手段１０，１００に、起立支持位置側に付勢する付勢手段を設けてもよい。例えば第１の実施形態で、起立支持手段１０を回転軸５５廻りに起立支持位置側に向けて付勢するバネ等の付勢手段を設けることにより、格納位置にある起立支持手段１０を例えばつま先で蹴り込んで保持状態を解除するだけで、起立支持手段１０を起立支持位置まで移動させることができる。
【００５６】
また、実施形態では重心が前側に偏った遊技機を例に説明したが、重心が後側に偏った遊技機の場合には起立支持手段を後側にのみ設けてもよい。この場合、後側の起立支持手段１００を起立支持位置と格納位置とに切り換えるための切換操作部を、遊技機本体１の前側に配置してもよい。これにより、遊技機本体１の後側に回ることなく前側から起立支持手段１００の切り換えを行うことができる。なお。切換操作部は起立支持手段１００と一体に設けてもよいし、起立支持手段１００とは別体に設けると共にギヤ等により起立支持手段１００と連動させてもよい。
【００５７】
第３の実施形態では、前部起立支持手段１０と後部起立支持手段１００とを連動機構１０１により連動させた例を示したが、連動機構１０１の構成は任意であり、例えば前部起立支持手段１０側に設けた駆動側ギヤ１０４と後部起立支持手段１００側に設けた従動側ギヤ１０５とを直接噛合させてもよい。また、連動機構１０１を設けず、例えば前部起立支持手段１０と後部起立支持手段１００とを一体に形成する等、前部起立支持手段１０と後部起立支持手段１００とが一体的に動作するように構成してもよい。
【００５８】
また、本発明はパチンコ機に限らず、アレンジボール機、雀球遊技機等の他の遊技機においても同様に実施することが可能である。
【符号の説明】
【００５９】
２  外枠
３  前枠（扉体）
７  ガラス扉（扉体）
９  前カバー部材
１０  前部起立支持手段
５５  回転軸
５６  収納保持手段
９１  切換手段
９３  操作部
１００  後部起立支持手段
１０２  回転軸
【図１】
2018064847.tif 000003
【図２】
2018064847.tif 000004
【図３】
2018064847.tif 000005
【図４】
2018064847.tif 000006
【図５】
2018064847.tif 000007
【図６】
2018064847.tif 000008
【図７】
2018064847.tif 000009
【図８】
2018064847.tif 000010
【図９】
2018064847.tif 000011
【図１０】
2018064847.tif 000012
【図１１】
2018064847.tif 000013
【図１２】
2018064847.tif 000014